(57)【要約】      （修正有）【課題】閃光装置の発光量をより高精度に測定できる閃光装置を提供する。【解決手段】閃光を発する閃光部材１と、前記閃光部材１の被写体方向最外殻に配置され前記閃光部材１の発光が透過する光学部材３と、前記閃光部材１による発光が前記光学部材３内で反射した光を受光する受光部材４とを有し、前記光学部材３内の反射光を前記光学部材３から直接受光できるように前記受光部材４を配置した。【選択図】図１
2005292609.tif 000002
【特許請求の範囲】
【請求項１】
光を発する閃光部材と、
前記閃光部材の被写体方向最外殻に配置され前記閃光部材の発光が透過する光学部材と、
前記閃光部材による発光が前記光学部材内で反射した光を受光する受光部材とを有し、
前記受光部材は前記光学部材の周辺部に面して配置され前記光学部材内での反射光を前記光学部材から直接受光することを特徴とする閃光装置。
【請求項２】
請求項１に記載の閃光装置において、前記光学部材は前記光学部材内の反射光を前記受光部材に誘導する誘導部を具備することを特徴とする閃光装置。
【請求項３】
請求項１に記載の閃光装置において、前記光学部材は前記閃光部材の発光の照射範囲を整える拡散部材であることを特徴とする閃光装置。
【請求項４】
請求項１に記載の閃光装置において、前記受光部材は前記光学部材の最長辺のほぼ中央部に直面して配置されることを特徴とする閃光装置。
【請求項５】
請求項１に記載の閃光装置において、前記光学部材以外からの光が前記受光部材に入射するのを防ぐための遮光部材を有することを特徴とする閃光装置。
【請求項６】
光を発する閃光部材と、
前記閃光部材の被写体方向最外殻に配置され前記閃光部材の発光が透過する光学部材と、
前記閃光部材による発光が前記光学部材内で反射した光を受光する受光部材とを有し、
前記受光部材は前記光学部材の周辺部に面して配置され前記光学部材内での反射光を前記光学部材から直接受光することを特徴とする閃光装置を有する撮像装置。            
【発明の詳細な説明】
【技術分野】
【０００１】
本発明は閃光装置の発光を受光する受光素子の配置に関する。
【背景技術】
【０００２】
従来よりカメラの閃光装置において発光量制御を行うために撮像面での反射光をモニタする場合がある。また、正確に発光量を制御するために閃光装置の発光量をモニタすることが知られている（特許文献１参照）。
【特許文献１】特開平９−１０１５５３
【発明の開示】
【発明が解決しようとする課題】
【０００３】
しかし、上記従来技術においては、キセノン管と最も外側に配置されたプロテクタとの間に位置する熱吸収用部材内の散乱光を受光して閃光装置の発光量を測るため、実際にプロテクタから被写体へ発光される発光量は判らず、正確ではない。
【０００４】
本発明は、閃光装置の発光量をより高精度に測定できる閃光装置を提供することを目的とする。
【課題を解決するための手段】
【０００５】
本発明は、光を発する閃光部材と、前記閃光部材の被写体方向最外殻に配置され前記閃光部材の発光が透過する光学部材とからなる閃光装置において、前記閃光部材による発光が前記光学部材内で反射した光を受光する受光部材を前記光学部材の周辺部に面して配置し前記光学部材内での反射光を前記光学部材から直接受光する。
【０００６】
さらに前記光学部材には前記光学部材内の反射光を前記受光部材に誘導する誘導部を設けた。
【発明の効果】
【０００７】
本発明による閃光装置は、最も外側に配置された光学部材から直接受光するように受光部材を配置したので、実際に被写体へ発光される発光量を高精度に測定することが可能となる。
【発明を実施するための最良の形態】
【０００８】
カメラの内蔵ストロボに本発明を適用した例を図１〜図３を用いて説明する。
【０００９】
本実施例におけるストロボ内蔵カメラは、ヒンジ５ａを軸にポップアップする下ケース５とこれの上面を覆う上ケース６により囲まれた空間にストロボ閃光装置を内蔵する。図１にストロボ閃光装置の斜視図を、図２にストロボ閃光装置がポップアップした状態での断面図を、図３（ａ）に発光部の構成部材の配置を示す側面図、図３（ｂ）に発光部の構成部材の配置を示す底面図を示す。各図に示した鎖線はストロボ閃光装置の発光光軸を示している（以下発光軸とする）。ストロボ閃光装置は、キセノン管１、反射傘２、プロテクタ３、受光素子４、下ケース５及び上ケース６より構成される。
【００１０】
キセノン管１は周知のごとく、管形状長手方向がカメラ水平方向に沿って配置される。
【００１１】
反射傘２は、図示のごとく、キセノン管１の発光を被写体に向けて反射するようにキセノン管１を覆う略放物面形状の反射面の長手方向がカメラ水平方向に沿って配置される。
反射面の被写体側端と側壁端とは発光軸と略垂直な四辺形に開口している。また反射面の両側壁には１対の支持孔が設けられており、キセノン管１は該支持孔に貫通されて保持される。
【００１２】
プロテクタ３は、ストロボ閃光装置の最外殻の一部を形成し、図１に示すごとく、反射傘２の開口を覆うように配置され、かつキセノン管１の発光および反射傘２の反射光が被写体方向へ透過する長方形状の照射部３ａを有する。照射部３ａの１面にはフレネルレンズが刻まれ照射光の拡散作用を有する。また照射部３ａの四辺には照射部３ａを囲う垂直壁部３ｂ、３ｃ、３ｄ、３ｅを有し、垂直壁部３ｂ〜３ｅは、照射部３ａと平行かつ最遠部にある縁面３ｆを有する。キセノン管１の発光および反射傘２の反射光は照射部３ａを透過する際に、その一部が内部反射により垂直壁部３ｂ〜３ｅに回り込み、垂直壁部３ｂ〜３ｅそれぞれの縁面３ｆから射出される。さらに、四辺に設けた前記垂直壁部のうち、照射部３ａ短辺方向下側の垂直壁部３ｂの縁面中央部には、より多くの内部反射光を受光素子４へ導くために、受光素子側に向かいすぼんだ台形形状をした導光部３ｇが形成されている。照射部３ａ、垂直壁部３ｂ〜３ｅ、導光部３ｇは透過性樹脂によって一体成形されている。
【００１３】
受光素子４はその受光面が導光部３ｇの導光部縁面３ｈに面して配置される。受光素子４はプロテクタ３との間に他の光学部材を介することなく配置され、導光部縁面３ｈからの射出光を直接受光する。
【００１４】
下ケース５は、反射傘２、プロテクタ３、及び受光素子４を保持している。また図２に示す様にカメラ上カバー６０へ伸びるアーム部を形成し、カメラ上カバー６０にヒンジ５aを中心に回転自在に支持され、ポップアップ時にストロボ閃光装置のポップアップが適正な位置で係止するように構成されている。さらに、図１に示すように、下ケース５の上面には、受光素子を保持すると共にプロテクタ３の導光部縁面３ｈ及びその付近からの射出光以外の光が前記受光素子４へ入射するのを防ぐために、発光軸と平行かつ下ケース上面に対し垂直に、受光素子を挟むように１対の遮光壁５ｂが下ケースと一体に成形されている。遮光壁５ｂは、反射傘２より貫通したキセノン管１の両端部等からの光を遮光している。
【００１５】
上ケース６は、照射部３ａを露出させた状態でプロテクタ３の上部を保持すると共に上記のストロボ閃光装置の部材を覆っている。
【００１６】
キセノン管１から発光された被写体方向へ向かう光及び反射傘２で反射された光はプロテクタ３の照射部３ａを透過し被写体方向へ射出される。ここで光がプロテクタ３内を透過する際に該プロテクタ３内で発生した内部反射光の一部が導光部３ｇにより集められ導光部縁面３ｈ及びその付近から射出され受光素子４により受光される。前記内部反射光はプロテクタ３を透過し実際に被写体に向けて射出される光量と直接の比例関係にあるため、前記内部反射光を受光素子４で受光することにより実際にストロボ閃光装置から被写体に向けて射出された発光量を正確に測定できる。
【００１７】
以上のとおり本発明を適用した実施例について説明してきたが、本発明はこれらの実施例に限られるものではない。以下に変形例を示す。
【００１８】
上述では、下ケース５に遮光壁５ｂを設けたが、遮光手段はこれに限るものではない。例えば、プロテクタ３の導光部縁面３ｈとその近傍とを除く縁面及び、反射傘２からはみ出したキセノン管１の端部を遮光するとしても良く、この場合は受光素子４の周りに遮光物を配置せずにすむ。
【００１９】
また、導光部３ｇは台形形状としたが、プロテクタ３内の反射光を受光素子４へ導くことが可能なら導光部の形状はこれに限るものではない。例えば円柱形状や四角柱などの多角柱形状、あるいは錐体の頂点部分を切断した形状とし前記内部反射光を効率良く導光部の縁面に導いても良い。さらに、受光素子４をプロテクタ３の照射部３ａ短辺方向下側の垂直壁部３ｂの縁面中央に面して配置したが、受光素子４の配置位置はこれに限るものではない。例えば、照射部３ａ短辺方向上側の垂直壁部３ｄの縁面や、照射部３ａの長辺方向の垂直壁部３ｃや３ｅの縁面に面して配置しても良い。この場合受光素子に合わせ縁面に導光部を設ける。
【００２０】
また、導光部３ｇを無くし前記受光素子４の受光面がプロテクタ３の縁面３ｆに直接面するように配置しても良い。
【００２１】
さらに、受光素子は被写体方向最外殻にある光学部材内の反射光を直接受光できれば良く、最外殻の光学部材は上述したようなフレネルレンズでの拡散作用をもたなくても構わない。例えば受光素子が反射光を受光する最外殻の光学部材は乳白色部材であっても良いし、色温度補正用の光学部材であっても良い。あるいは拡散作用を有する反射傘に組み合わされ、拡散作用や色温度補正作用などを持たない保護用の光学部材であっても良い。
【００２２】
また、受光素子によって発光量を測定するのは、露光に関与する発光を制御するためであるので、受光素子は光学部材の反射光のうち露光に関与する波長範囲が受光できれば良く、無用な波長を取り除くために光学部材あるいは受光素子に赤外カットコートを施しても良い。また受光部材として赤外カットフィルターを具備する受光素子を用いても良い。
【００２３】
以上、ストロボ閃光装置を同一筐体内に含むカメラについて説明したが、これに限るものではない。例えば、カメラと独立した筐体を持つストロボ閃光装置でも良い。
【図面の簡単な説明】
【００２４】
【図１】ストロボ閃光装置の斜視図
【図２】ストロボ閃光装置がポップアップした状態にあるカメラの断面図
【図３】発光部の構成部材の配置図
【符号の説明】
【００２５】
１  キセノン管
２  反射傘
３  プロテクタ
４  受光素子
５  下ケース
６  上ケース
６０  カメラ上カバー                                                  
【図１】
2005292609.tif 000003
【図２】
2005292609.tif 000004
【図３】
2005292609.tif 000005